(57)【要約】【課題】本発明は、操作性に優れた、静電容量式タッチパネルを操作できる指袋の編成方法およびその指袋を提供することを目的とする。【解決手段】非導電糸を用いて筒状に編成した指袋２に、先端の掌側の編幅中心近傍に導電糸を用いてウェール方向に複数の編目列が連続して形成される突出編地部３を編成するため、導電糸を用いた給糸口７を用い、ＦＢとＢＢを交互に編成して突出編地部３の編出しとする。突出編地部３の編出しに続き、袋編成を行い、球体に近いような形状を形成し、狭い領域のタッチ操作などにも優れた静電容量式タッチパネルを操作できる指袋を形成する。【選択図】図１
2012229502.tif 000002
【特許請求の範囲】
【請求項１】
少なくとも前後一対の針床を有する横編機を用い、指袋先端の少なくとも掌側に導電糸を用いた静電容量式タッチパネルの操作用指袋の編成方法において、
指袋に対し、非導電糸を用いて前後の針床で筒状編成を行うステップと、
前記指袋の掌側の編幅中心近傍の編目に対し、導電糸を用いてウェール方向の編目を非導電糸の指袋に加えて編成することで非導電糸の指袋より突出する突出編地部を形成するステップと、
前記指袋の導電糸を用いた突出編地部の編目と、前後の針床に係止する突出編地部以外の編目に、非導電糸を用いて指袋の筒状編成を行うステップとを備えることを特徴とする静電容量式タッチパネルの操作用指袋の編成方法。
【請求項２】
前記突出編地部の形成にあたり、前記指袋の掌側の編幅中心近傍の編目を対向する針床の空針に移動させ、移動させた編目に新たな編目と、移動前に係止していた針床の空針に対して掛け目を交互に形成して突出編地部の編出しを行い、該編出しに用いた編針に係止する編目のうち、少なくとも編出しで形成した掛け目に突出編地部を編成し、移動させた前記指袋の掌側の編幅中心近傍の編目に続く新たな編目を、移動前の針床に戻して突出編地部の編目と重ねることを特徴とする請求項１記載の静電容量式タッチパネルの操作用指袋の編成方法。
【請求項３】
前記突出編地部の形成にあたり、前記指袋の掌側の編幅中心近傍の編目に導電糸を用いた新たな編目を形成して突出編地部の編出しを行い、該編出しに用いた編針に係止する編目に、突出編地部を形成することを特徴とする請求項１記載の静電容量式タッチパネルの操作用指袋の編成方法。
【請求項４】
前記突出編地部の編出しに用いた前後針床の編針で、袋状に編成して新たな編目を形成することを特徴とする請求項２記載の静電容量式タッチパネルの操作用指袋の編成方法。
【請求項５】
横編機を用いて編成された静電容量式タッチパネルの操作用指袋であって、指袋は非導電糸を用いて筒状に形成された筒編地部と、該筒編地部先端の掌側の編幅中心近傍に導電糸を用いてウェール方向に複数の編目列が連続して形成される突出編地部で構成され、該突出編地部は、前記筒編地部の編幅より狭い編幅で筒編地部の編目に繋がり筒編地部より突出していることを特徴とする静電容量式タッチパネルの操作用指袋。
【請求項６】
前記指袋は手袋の人差し指用指袋であって、該手袋は先端部が導電糸を用いて筒状に編成された親指用指袋を備える手袋であることを特徴とする請求項５記載の静電容量式タッチパネルの操作用指袋。

【発明の詳細な説明】
【技術分野】
【０００１】
本発明は、静電容量式タッチパネルの操作用指袋の編成方法およびその指袋に関する。
【背景技術】
【０００２】
近年では、静電容量式タッチパネルを用いた製品が多数存在し、手袋を着用したまま操作を行いたいとの要望があった。特許文献１では、静電容量式タッチパネルを操作できる手袋として、指先の先端にのみ導電糸を用いて手袋を形成することが示されている。
【先行技術文献】
【特許文献】
【０００３】
【特許文献１】実登３１６０２１１号公報
【発明の概要】
【発明が解決しようとする課題】
【０００４】
特許文献１の手袋では、指先全体に導電性の糸を使用して指袋の先端部の広い範囲に通電性を有するため、狭い領域のタッチ操作などでは操作が難しくなってしまう。本発明では、非導電性指袋より突出した導電性の突出編地部を、狭い領域（点）へのタッチ操作が可能なように形成し、操作性に優れた静電容量式タッチパネルの操作用指袋の編成方法およびその指袋を提供する。  
【課題を解決するための手段】
【０００５】
本発明は、少なくとも前後一対の針床を有する横編機を用い、指袋先端の少なくとも掌側に導電糸を用いた静電容量式タッチパネルの操作用指袋の編成方法において、指袋に対し、非導電糸を用いて前後の針床で筒状編成を行うステップと、前記指袋の掌側の編幅中心近傍の編目に対し、導電糸を用いてウェール方向の編目を非導電糸の指袋に加えて編成することで非導電糸の指袋より突出する突出編地部を形成するステップと、前記指袋の導電糸を用いた突出編地部の編目と、前後の針床に係止する突出編地部以外の編目に、非導電糸を用いて指袋の筒状編成を行うステップを備えることを特徴とする。
【０００６】
また本発明では、前記突出編地部の形成にあたり、前記指袋の掌側の編幅中心近傍の編目を対向する針床の空針に移動させ、移動させた編目に新たな編目と、移動前に係止していた針床の空針に対して掛け目を交互に形成して突出編地部の編出しを行い、該編出しに用いた編針に係止する編目のうち、少なくとも編出しで形成した掛け目に突出編地部を編成し、移動させた前記指袋の掌側の編幅中心近傍の編目に続く新たな編目を、移動前の針床に戻して突出編地部の編目と重ねることを特徴とする。
【０００７】
さらに本発明では、前記突出編地部の形成にあたり、前記指袋の掌側の編幅中心近傍の編目に導電糸を用いた新たな編目を形成して突出編地部の編出しを行い、該編出しに用いた編針に係止する編目に、突出編地部を形成することを特徴とする。
【０００８】
さらに本発明では、前記突出編地部の編出しに用いた前後針床の編針で、袋状に編成して新たな編目を形成することを特徴とする。
【０００９】
さらに本発明では、横編機を用いて編成された静電容量式タッチパネルの操作用指袋であって、指袋は非導電糸を用いて筒状に形成された筒編地部と、該筒編地部先端の掌側の編幅中心近傍に導電糸を用いてウェール方向に複数の編目列が連続して形成される突出編地部で構成され、該突出編地部は、前記筒編地部の編幅より狭い編幅で筒編地部の編目に繋がり筒編地部より突出していることを特徴とする。
【００１０】
さらに本発明では、前記指袋は手袋の人差し指用指袋であって、該手袋は先端部が導電糸を用いて筒状に編成された親指用指袋を備える手袋であることを特徴とする。
【発明の効果】
【００１１】
本発明では、非導電糸で編成された指袋先端の掌側の編幅中心近傍に、導電糸を用いて指袋より突出した狭い領域（点）によるタッチ操作が可能な突出編地部が形成されることで、通電性を有する突出編地部が小さいために確実にタッチ操作が行え、仮にタッチ操作がずれて周辺の編目が触れたとしても非導電糸のために誤って反応することもなく、安定した操作が可能となり静電容量式タッチパネルの操作性が向上する。
【００１２】
また本発明では、突出編地部を繋げたい指袋の編目を対向する針床の空針に移動し、前後針床を用いて突出編地部の編出しを形成するので、編成に使用できる前後針床の編針を選択でき、突出編地部の厚みを調整できる。            
【００１３】
また本発明では、指袋の掌側の編幅中心近傍の編目の移動を必要とせず突出編地部の形成が出来るので、編成コース数を減らすことができる。  
【００１４】
また本発明では、突出編地部を袋状に形成できるので２層となりしっかりとした突出編地部を形成できる。
【００１５】
また本発明の指袋は、非導電糸の筒編地部より突出した導電糸の突出編地部を備えた指袋として、通電性を有する突出編地部が小さいために確実にタッチ操作が行え、静電容量式タッチパネルの操作性が良い指袋である。
【００１６】
また本発明の指袋は、手袋の人差し指用筒編地部であり、該手袋は、先端部が導電糸を用いて筒状に編成された親指用筒編地部を備えており、例えば、ズーム操作などを行う際に、円滑に操作できる。
【図面の簡単な説明】
【００１７】
【図１】本発明の実施例１としての手袋１の掌側の概略図である。
【図２】本発明の実施例１としての手袋１における指袋２ｂの編成図である。
【図３】本発明の実施例２としての指袋２ｂの編成図である。
【発明を実施するための形態】
【００１８】
以下、本発明の実施例として、手袋１の説明を行う。編成に使用する横編機は、前後一対の針床を備えた２枚ベッド横編機であり、後針床ＢＢが前針床ＦＢに対してラッキング可能で、針床の上方に複数の給糸口を有するものである。編成図では、説明の便宜上、針数を実際の編成よりも少なくしている。
【実施例１】
【００１９】
図１は、実施例１としての手袋１の掌側の概略図である。本実施例で編成される手袋１はすべて平編みで編成する。手袋１の編成は、各指袋２（２ｂ、２ｃ、２ｄ、２ｅ）を指先から順次編成し、４本胴、指袋２ａ、５本胴を順次編成する公知の方法で行う。そのため実施例１では、特に人差し指用指袋２ｂに、ウェール方向に編目を形成して他の領域に比べて編目数の差分で膨らみ、非導電糸の指袋より突出する導電糸による突出編地部３を形成する編成方法に絞って説明を行う。人差し指用指袋２ｂは非導電糸であり、突出編地部３のみが導電糸となる。手袋１では、突出編地部３が人差し指用指袋２ｂに形成され、親指用指袋２ａは、導電糸を用いて指先先端で周回編成を行っている。
【００２０】
図中、手袋１の内部には破線と一点鎖線が示されている。指袋２ｂが一点鎖線に囲まれている領域は、後述する指袋２を単独で使用できる指カバーを示す。また指袋２ａ、２ｂを含んで胴部が実線と破線に囲まれている領域は、後述する指カバー５を示す。いずれも優れた操作性を示し、また指紋等を付着させずにタッチパネルを操作することができる。
【００２１】
図２は、本発明の実施例１に示す手袋１の指袋２ｂの編成図である。編成図では、図中左側の数字は編成ステップ（Ｓ）を示し、左右方向の矢印は編成方向を示し、ＦＢは前針床を、ＢＢは後針床を示す。大文字のＡ〜ＰはＦＢの編針を、小文字のａ〜ｐはＢＢの編針を示す。また、○印はその編成ステップで形成される編目を、Ｖ印は掛け目を、◎は重ね目を示す。尚、その編成ステップでの編成に関係せず、編針に係止されたままの編目については図示を省略する。
【００２２】
図２で示す編成ステップＳ１〜Ｓ１１について説明する。Ｓ１は、指袋２ｂの全幅の編成を示し、非導電糸を給糸する給糸口６はキャリッジ（不図示）により左方向に移動され、ＦＢの編針Ｏ〜Ａで１本置きに編目を形成する。Ｓ２では、右方向に編針ｂ〜ｐで１本置きに編目を形成する。Ｓ１とＳ２により、図１で示す指袋２ｂの１コースが筒状に完成する。更にＳ１、Ｓ２の編成を適宜繰り返し、Ｓ３以降の突出編地部３の編成を行う。Ｓ３では、指袋２ｂの掌側の複数の編目列となるＦＢの編針Ｇと編針Ｉの編目を、甲側となるＢＢの編針ｇと編針ｉに目移しする。
【００２３】
Ｓ４では、突出編地部３を編成するため、左方向に向けて導電糸を給糸する給糸口７を新たに用いてＦＢとＢＢを交互に編成する。移動した掌側の編目を係止するＢＢでは編針ｉ，ｇに新たな編目を、その編針ｉ，ｇに対向するＦＢでは編針Ｊ，Ｈ，Ｆに掛け目を形成し、突出編地部３の編出しとしている。前後の編目が形成できることで、突出編地部３の厚みを調整でき、しっかりとしたものや厚みが少ない突出編地部３などが形成できる。Ｓ５では、右方向にＢＢの編針ｇ，ｉで編目を形成する。Ｓ６では、左方向にＦＢの編針Ｊ，Ｈ，Ｆで編目を形成する。Ｓ５とＳ６では、Ｓ４で行った突出編地部３の編出しに続き袋編成を行い、複数の編目列を編成している。また、Ｓ５に替えてＳ６と同様の編成を繰り返し、前記編出しの掛け目のみを使用して突出編地部３を形成しても良い。
【００２４】
Ｓ７では、右方向にＢＢの編針ｇ，ｉで編目を形成する。突出編地部３の大きさ（膨らみ）は、図２で示すＡのステップ（Ｓ５とＳ６）の繰返し回数で調整する。実施例１の場合には２〜６回程度の繰返しが好ましい。指袋２ｂより突出編地部３が適度に突出するからである。太めの導電糸を使えば、適度な膨らみがあり、さらに球体に近いような形状も可能となる。突出編地部３は、指袋２ｂの非導電糸の中にある導電糸の突出部分となって狭い領域（点）によるタッチ操作が可能であれば良い。
【００２５】
Ｓ８では、ＦＢの編針Ｊ，Ｈ，Ｆに係止する編目をＦＢの編針Ｇ，Ｉ，Ｋに目移しする。ＦＢの編針Ｋでは指袋２ｂの掌側の編目との重ね目となる。Ｓ９では、ＢＢの編針ｇ，ｉの編目が、ＦＢの編針Ｇ，Ｉに目移しされ、指袋２ｂの掌側の編目との重ね目となる。
【００２６】
Ｓ１０では、指袋２ｂの全幅の編成を示し、再び給糸口６を用いて左方向にＦＢの編針Ｏ〜Ａで１本置きに編目を形成する。Ｓ１１では、右方向に編針ｂ〜ｐで１本置きに編目を形成する。Ｓ１０とＳ１１により、指袋２ｂの１コースが完成する。指袋２ｂは、Ｓ３〜Ｓ９の間、給糸口６での編成が行われなかった為に編地の増加が無く、指袋２ｂの編成の再開時には、導電糸よる突出編地部３は、ウェール方向の編目列の形成による編目数の差分で膨らみ、非導電糸の指袋２ｂより突出する。なお、コース方向は２目の狭い編目列となっており、小さな球体が突出しているようになっている。
【実施例２】
【００２７】
図３は、本発明の実施例２に示す指袋２ｂの編成図である。図２において示したＳ１，Ｓ２とＳ１０，Ｓ１１は、図３のＳ１，Ｓ２とＳ５，Ｓ６と同様の編成であり、説明を省略する。Ｓ３では、左方向に向けて導電糸を給糸する給糸口１７を新たに用いて、指袋２ｂのＦＢの編針Ｉ，Ｇに新たな編目を形成し、突出編地部３の編出しとしている。Ｓ４では、折り返してＦＢの編針Ｇ，Ｉに新たな編目を形成する。本実施例２では、編出しを前後の針床に形成するのではなく、片側の針床で行い、適宜その編成を繰り返すＢのステップ（Ｓ３とＳ４）で突出編地部３を形成する。該突出編地部３の形成では、目移しが不要となり編成も容易で編成コース数を減らすことができる。Ｓ５，Ｓ６で、給糸口１６を用いて非導電糸での編成を筒状に行い、指袋２ｂより突出する突出編地部３を完成する。
【００２８】
なお、本実施例１，２では、手袋１の指袋２ｂに対して突出編地部３の形成を行ったが、他の指袋（２ａ、２ｃ、２ｄ、２ｅ）に形成しても良い。また、手袋１としては、親指用指袋２ａの指先部４に導電糸を用いて指先全体に周回編成を行うようにした手袋が好適である。導電糸を用いて指袋より突出した狭い領域（点）によるタッチ操作が可能な突出編地部３が形成される指袋２（２ｂ、２ｃ、２ｄ、２ｅ）と、指を滑らしたりする動きが多い親指が指先全体で反応することで操作性が良い。更に図１で、親指用指袋２ａと人差し指用指袋２ｂを含み、実線と破線に囲まれている領域は、指カバー５を示している。指カバー５は、中指、薬指、小指に装着する各指袋２ｃ、２ｄ、２ｅがない胴部が備わっているが、２本の指を用いた操作性は良い。また指袋２ａ、２ｂのみが繋がったものでも、同様に優れた操作性が得られる。
【００２９】
また、一点鎖線で区切られた指袋２ｂにおいても、突出編地部３を備えた指カバーとして単独で使用することができる。この使用の場合は、一点鎖線の位置に装着がずれないようにする為、伸縮性の高いリブ組織の形成や弾性糸を用いて筒状に編成すればよい。なお、本発明は、上述した実施例に限定されるわけではなく、本発明の要旨を逸脱しない範囲で適宜変更して実施することができる。
【符号の説明】
【００３０】
１  手袋
２ａ，２ｂ，２ｃ，２ｄ，２ｅ  指袋
３  突出編地部
５  指カバー
６，７，１６，１７        給糸口 
【図１】
2012229502.tif 000003
【図２】
2012229502.tif 000004
【図３】
2012229502.tif 000005